(57)【特許請求の範囲】
【請求項１】
一端の開口部から他端の開口部に向けて毛髪束を挿入可能に構成され、巻き上げ可能に構成されている筒状体を有し、該筒状体は、長手方向及び該長手方向に直交する幅方向を有する毛髪保持具であって、
前記筒状体は、外面を形成する２枚のシートとして、巻き上げ時に内側に位置する一面シート及び巻き上げ時に外側に位置する他面シートを有しており、
前記他面シートは、前記一面シートに比してシート中の空隙の空隙率が高く、
前記シート中の空隙は、該シートにスリットが存在する場合、該スリット以外の部分の空隙であり、
前記２枚のシートのうちの少なくとも一方が、下記条件（１）及び（２）を満たす変色性シートである、毛髪保持具。
条件（１）Ｌ＊ａ＊ｂ＊色座標空間でのＬ＊値が９０以下である。
条件（２）標準毛髪処理剤の含浸前後における前記Ｌ＊ａ＊ｂ＊色座標空間での色差ΔＥ＊ａｂ値が１．０以上であり、前記標準毛髪処理剤は、チオグリコール酸アンモニウムを６質量％、炭酸水素アンモニウムを２質量％、エデト酸二ナトリウムを０．５質量％、及び水を残部含有し、且つ２８質量％のアンモニア水溶液によって、２０℃におけるｐＨを８．４に調整したものである。
【請求項２】
一端の開口部から他端の開口部に向けて毛髪束を挿入可能に構成され、巻き上げ可能に構成されている筒状体を有し、該筒状体は、長手方向及び該長手方向に直交する幅方向を有する毛髪保持具であって、
前記筒状体は、外面を形成する２枚のシートとして、巻き上げ時に内側に位置する一面シート及び巻き上げ時に外側に位置する他面シートを有しており、
前記他面シートは、前記一面シートに比して液拡散性が高く、
前記２枚のシートのうちの少なくとも一方が、下記条件（１）及び（２）を満たす変色性シートである、毛髪保持具。
条件（１）Ｌ＊ａ＊ｂ＊色座標空間でのＬ＊値が９０以下である。
条件（２）標準毛髪処理剤の含浸前後における前記Ｌ＊ａ＊ｂ＊色座標空間での色差ΔＥ＊ａｂ値が１．０以上であり、前記標準毛髪処理剤は、チオグリコール酸アンモニウムを６質量％、炭酸水素アンモニウムを２質量％、エデト酸二ナトリウムを０．５質量％、及び水を残部含有し、且つ２８質量％のアンモニア水溶液によって、２０℃におけるｐＨを８．４に調整したものである。
【請求項３】
前記変色性シートの変色が可逆的である、請求項１又は２に記載の毛髪保持具。
【請求項４】
前記変色性シートは、標準毛髪処理剤の含浸前後におけるＬ＊ａ＊ｂ＊色座標空間での前記色差ΔＥ＊ａｂ値が、１．０以上９０．０以下である、請求項１〜３の何れか１項に記載の毛髪保持具。
【請求項５】
前記変色性シートは、前記標準毛髪処理剤の含浸後の前記Ｌ＊ａ＊ｂ＊色座標空間でのＬ＊２値から、該標準毛髪処理剤の含浸前の前記Ｌ＊ａ＊ｂ＊色座標空間でのＬ＊１値を減算した明度差ΔＬ＊値の絶対値が１．０以上である、請求項１〜４の何れか１項に記載の毛髪保持具。
【請求項６】
少なくとも前記他面シートが、前記変色性シートである、請求項１〜５の何れか１項に記載の毛髪保持具。
【請求項７】
前記一面シート及び前記他面シートの双方が前記変色性シートである、請求項６に記載の毛髪保持具。
【請求項８】
前記筒状体は、前記一面シートが前記筒状体から前記長手方向の外方に延出した延設部を有しており、
前記延設部が前記変色性シートにより形成されている、請求項１〜７の何れか１項に記載の毛髪保持具。
【請求項９】
前記他面シートは、前記一面シートに比して液透過性が高い、請求項１〜８の何れか１項に記載の毛髪保持具。
【請求項１０】
請求項１〜９の何れか１項に記載の毛髪保持具を用いた毛髪処理方法であって、
前記毛髪束を前記筒状体に挿入する挿入工程、該筒状体を、該筒状体に挿入した前記毛髪束とともに巻き上げ、該毛髪束が変形した状態に保持された毛髪束保持体を形成する巻き上げ工程、及び該毛髪束保持体に毛髪処理剤を供給して、該毛髪束に癖付け処理を行う癖付け処理工程を具備し、該癖付け処理工程において、前記毛髪処理剤の供給を、前記変色性シートに生じる視覚的変化を確認しながら行う、毛髪処理方法。
【発明の詳細な説明】
【技術分野】
【０００１】
本発明は、毛髪保持具及びそれを用いた毛髪処理方法に関する。
【背景技術】
【０００２】
毛髪束にカール形状を付与するための癖付け処理に用いられる毛髪保持具として、毛髪束を挿入した後、該毛髪束とともに巻き上げ可能に構成された筒状体を有するものが知られている。例えば特許文献１には、挿入口部から他端の出口に向けて毛髪束が挿通されるポケット部を有する毛髪保持具が開示されている。【０００３】
巻き上げ可能な筒状体を備える毛髪保持具を用いた癖付け処理では、巻き上げられてロール状にされた筒状体の外周部分にパーマネントウェーブ剤等の毛髪処理剤を付与し、該毛髪処理剤を該筒状体内に浸透させて、該筒状体内に保持された毛髪束に該毛髪処理剤を付与することがある。毛髪処理剤を筒状体内に容易に浸透させる観点から、本出願人は、先に、筒状体を構成する２枚のシートの坪量を一方向に漸減させた毛髪保持具を提案している（特許文献２）。特許文献３には、毛髪保持具内に保持された毛髪束に毛髪処理剤を確実に付与する観点から、毛髪処理剤の塗布又は浸透により変色可能な材質を用いたパーマ用ロッドが開示されている。【０００４】
上記の筒状体とは異なる構成を具備する毛髪保持具として、本出願人は、先に、巻き上げ用糸を引っ張ることで、筒状体を巻き上げていき、該筒状体内に保持された毛髪束を螺旋状に変形させ得る毛髪保持具を提案している（特許文献４）。この毛髪保持具としては、毛髪束を時計回りの螺旋状にし得る第１の毛髪保持具と、毛髪束を反時計周りの螺旋状にし得る第２の毛髪保持具とがある。特許文献４には、これら２種類の毛髪保持具を区別する目的で、該２種類の毛髪保持具それぞれに異なる着色を部分的に施すことが記載されている。
【先行技術文献】
【特許文献】
【０００５】
【特許文献１】米国特許第３２５５７６５号明細書
【特許文献２】特開２００５−１８５５３２号公報
【特許文献３】特開２０１６−１１６８６６号公報
【特許文献４】特開２０１１−１４７７３０号公報
【発明の概要】
【０００６】
本発明は、一端の開口部から他端の開口部に向けて毛髪束を挿入可能に構成され、巻き上げ可能に構成されている筒状体を有し、該筒状体は、長手方向及び該長手方向に直交する幅方向を有する毛髪保持具である。前記筒状体は、外面を形成する２枚のシートを有している。前記２枚のシートのうちの少なくとも一方が、下記条件（１）及び（２）を満たす変色性シートである。
条件（１）Ｌ＊ａ＊ｂ＊色座標空間でのＬ＊値が９０以下である。
条件（２）標準毛髪処理剤の含浸前後における前記Ｌ＊ａ＊ｂ＊色座標空間での色差ΔＥ＊ａｂ値が１．０以上である。前記標準毛髪処理剤は、チオグリコール酸アンモニウムを６質量％、炭酸水素アンモニウムを２質量％、エデト酸二ナトリウムを０．５質量％、及び水を残部含有し、且つ２８質量％アンモニア水溶液によって、２０℃におけるｐＨを８．４に調整したものである。
【０００７】
また本発明は、前記毛髪保持具を用いた毛髪処理方法である。本発明の毛髪処理方法は、前記毛髪束を前記筒状体に挿入する挿入工程、該筒状体を、該筒状体に挿入した前記毛髪束とともに巻き上げ、該毛髪束が変形した状態に保持された毛髪束保持体を形成する巻き上げ工程、及び該毛髪束保持体に毛髪処理剤を供給して、該毛髪束に癖付け処理を行う癖付け処理工程を具備する。また本発明の毛髪処理方法は、前記癖付け処理工程において、前記毛髪処理剤の供給を、前記変色性シートに生じる視覚的変化を確認しながら行う。
【図面の簡単な説明】
【０００８】
【図１】図１は、本発明の毛髪保持具の一実施形態を示す正面図（ａ）及び背面図（ｂ）である。
【図２】図２は、図１（ａ）及び（ｂ）に示す毛髪保持具の毛髪束保持体を示す斜視図である。
【図３】図３は、図１（ａ）に示すスリットの別の実施形態を示す拡大平面図である。
【図４】図４（ａ）及び（ｂ）は、補強材を有する毛髪保持具の幅方向に沿う厚み方向断面を示す模式図である。
【図５】図５（ａ）〜（ｃ）は、図１（ａ）及び（ｂ）に示す毛髪保持具を用いて癖付け処理を行う手順を順次示す説明図である。
【発明の詳細な説明】
【０００９】
毛髪保持具を用いて毛髪束に特定の形状を付与する処理では、筒状体内に保持された毛髪束に毛髪処理剤を確実に付与することが、仕上がりを良好にする上で重要である。そのため、毛髪処理剤が筒状体に浸透して、筒状体内に保持された毛髪束に毛髪処理剤が付与されたか否かを確認できることが望ましい。特許文献１、２及び４は、毛髪処理剤の筒状体への浸透を確認し得る技術を開示するものではない。特許文献３に記載のパーマ用ロッドは、毛髪処理剤の浸透を該パーマ用ロッドの構成部材の変色によって確認することができるが、該パーマ用ロッド全体が変色した場合は変色前と変色後との識別が困難となる。
【００１０】
したがって、本発明の課題は、前述した従来技術が有する欠点を解消し得る毛髪保持具及びそれを用いた毛髪処理方法を提供することにある。
【００１１】
以下、本発明の毛髪保持具を、その好ましい実施形態に基づき、図面を参照しながら説明する。本発明の毛髪保持具は、好ましくは、毛髪束に癖付けを行う癖付け処理に用いられるものである。「癖付け」は、毛髪束にカール形状や螺旋形状等の特定の形状を付与することである。本発明の毛髪保持具は、主に人の頭髪の処理に用いられる。
【００１２】
図１（ａ）及び（ｂ）に本発明の毛髪保持具の一実施形態を示す。図１（ａ）及び（ｂ）に示す毛髪保持具１は、一端の開口部２１から他端の開口部２２に向けて毛髪束Ｈを挿入可能に構成された筒状体２を備えている。具体的には、筒状体２は、巻き上げ時に内側に位置する一面シート２３Ａ及び巻き上げ時に外側に位置する他面シート２３Ｂとして一方向に長い２枚のシート２３Ａ，２３Ｂを備え、該２枚のシート２３Ａ，２３Ｂが積層された扁平形状を有している。これら２枚のシート２３Ａ，２３Ｂは、筒状体２の外面を形成している。筒状体２の外面は、毛髪保持具において毛髪束が挿入される空間を形成する側の面とは反対側の面である。また、筒状体２は、一面シート２３Ａと他面シート２３Ｂとを接合する一対の側部結合部２４，２４と、該一対の側部結合部２４，２４間に位置する筒状部２６とを有している。一対の側部結合部２４，２４は、２枚のシート２３Ａ，２３Ｂの延在方向に沿う側縁部どうしを結合している。筒状部２６は、長手方向Ｘにおいて一端の開口部２１と他端の開口部２２との間に毛髪束Ｈが挿入される空間を有している。本実施形態において、側部結合部２４，２４は、ヒートシール等の融着によって形成されている。
【００１３】
本実施形態における筒状体２は、長手方向Ｘ及び該長手方向Ｘに直交する幅方向Ｙを有している。筒状体２の長手方向Ｘは、筒状部２６の延在方向と一致しており、毛髪束Ｈの挿入方向に対応する。
筒状体２は、本実施形態のように、長手方向Ｘに沿う両側縁部が互いに平行であるが、該両側縁部が互いに平行でなくともよい。その場合、前記両側縁部は、一端の開口部２１から他端の開口部２２に向かうに連れ漸次幅方向Ｙの外方に延びていることが好ましい。換言すると、平面視において筒状体２は他端の開口部２２に向かって末広がり状の形状を有していることが好ましい。
【００１４】
筒状体２は、巻き上げ可能に構成されている。巻き上げ可能な構成とは、図２に示すように、筒状体２を巻回してロール状にすることが可能であることを意味する。このような構成は、自動的に巻き上がる構成であることが好ましいが、手動で巻き上げる構成であってもよい。自動的に巻き上がる構成としては、例えば、自然状態において、筒状体２がロール状に巻回されており、筒状体２を引き伸ばして毛髪束Ｈを挿入した後に、その引き伸ばした状態を解除すると、該筒状体２が毛髪束Ｈとともに巻き上がるようになされている構成が挙げられる。このような構成は、筒状体２を構成する２枚のシート２３Ａ，２３Ｂの何れか一方又は双方が、毛髪保持具１を巻き上げた状態を記憶させてある形状記憶シートからなることにより具備することができる。形状記憶シートは、熱収縮率の異なるフィルムあるいは張力の違うフィルムを貼り合わせることによって形成することができる。また、筒状体２は、筒状体２を構成するシート２３Ａ，２３Ｂを加熱することにより、記憶していた元のロール状に復帰するものであっても良い。
【００１５】
毛髪保持具は、筒状体の一端の開口部から他端の開口部に向けて毛髪束を挿入した後、毛髪束とともに筒状体を巻き上げることでロール状になる。以下、筒状体が巻き上げられてロール状となったものを毛髪束保持体３ともいう。毛髪束保持体３においては、巻き上げられたロールの中心側に他端の開口部が位置している。前記中心は、ロール状の毛髪束保持体３の中心軸ａである。以下、毛髪束保持体における中心を単に「中心」ともいう。毛髪束保持体は、中心軸方向に直交する径方向の断面において渦巻き状となっている。
【００１６】
本実施形態における毛髪保持具１は、筒状体２の一端の開口部２１側に、一面シート２３Ａが筒状体２から長手方向Ｘの外方に延出した延設部４を有している。延設部４は一面シート２３Ａと一体的に形成されている。毛髪保持具は、延設部を有していなくともよいが、毛髪束を筒状体に容易に挿入させる観点から、延設部を有していることが好ましい。毛髪保持具が延設部を有する場合、毛髪保持具１は、一面シート２３Ａに該一面シート２３Ａとは別体のシートとして延設部４を有していてもよく、一面シート２３Ａと連続する延設部４を有していてもよい。
【００１７】
本実施形態の毛髪保持具１は、図２に示すように筒状体２を巻き上げた状態に保持することで、毛髪束Ｈの癖付け処理に用いられる。毛髪保持具１は、筒状体２を巻き上げた毛髪束保持体３において、一面シート２３Ａの外面と他面シート２３Ｂの外面とが部分的に対向する。より具体的には、毛髪束保持体３、即ち巻回状態の筒状体２において、外周部分３１を構成する一面シート２３Ａの長手方向Ｘの一端の開口部２１側の外面と、該外周部分３１に隣接する巻回部分を構成する他面シート２３Ｂの外面とが対向する。外周部分３１は、巻回状態の筒状体２、即ち毛髪束保持体３において、前記中心軸ａから最も遠く、且つその巻き径が最も大きい巻回部分である。そして、固定部材５が他面シート２３Ｂの外面の一部と係合することにより、筒状体２は巻き上げた状態、即ちロール状に保持される。また、筒状体２内に保持された毛髪束Ｈもロール状に保持される。本実施形態において、外周部分３１は筒状体２の巻回部分であり、延設部４は含まれない。
【００１８】
毛髪保持具１は、毛髪束Ｈを挿入させた筒状体２を巻き上げて、ロール状の毛髪束保持体３にした後、毛髪束保持体３の外周部分３１の表面にパーマネントウェーブ剤等の毛髪処理剤を供給して、毛髪束Ｈに該毛髪処理剤を付与する。これにより、毛髪保持具１は毛髪束Ｈにカール形状を付与することができる。
【００１９】
筒状体２は、該筒状体２を形成する２枚のシート、即ち一面シート２３Ａ及び他面シート２３Ｂのうちの少なくともの一方が、下記条件（１）及び（２）を示す変色性シートである。
条件（１）：Ｌ＊ａ＊ｂ＊色座標空間でのＬ＊値が９０以下である。
条件（２）：標準毛髪処理剤の含浸前後におけるＬ＊ａ＊ｂ＊色座標空間での色差ΔＥ＊ａｂ値が１．０以上である。
前記Ｌ＊値は、筒状体を、後述する標準毛髪処理剤に含浸させる前の値である。
【００２０】
本実施形態の毛髪保持具１のように、筒状体２がその外面を形成する２枚のシート２３Ａ，２３Ｂとして、巻き上げ時に内側に位置する一面シート２３Ａ及び巻き上げ時に外側に位置する他面シート２３Ｂとを有する場合は、その２枚のシートのうちの、巻き上げ時に外側に位置する他面シート２３Ｂのみが、前記の変色性シートであるか、又は両シート２３Ａ，２３Ｂのいずれもが前記の変色性シートであることが好ましい。すなわち、巻き上げ時に内側に位置する一面シート２３Ａ及び巻き上げ時に外側に位置する他面シート２３Ｂのうちの、少なくとも巻き上げ時に外側に位置する他面シート２３Ｂが、前記の変色性シートであることが好ましい。
本発明の毛髪保持具１は、巻き上げ時に、筒状体２の外面の形成する２枚のシートのうちのいずれが巻き上げ時の外側に位置するシートであるかが決まっていないものであっても良い。その場合、変色性シートである方のシートが巻き上げ時の外側に位置するように巻き上げることが好ましい。
【００２１】
Ｌ＊ａ＊ｂ＊色座標空間は、均等色空間であるＣＩＥ１９７６（Ｌ＊ａ＊ｂ＊）色空間である。Ｌ＊ａ＊ｂ＊色座標空間の座標値は、明度Ｌ＊及び色度座標ａ＊，ｂ＊で表される。明度を示すＬ＊値は１００が白色であり、０が黒色である。前記Ｌ＊値が９０以下である色には、視覚的に乳白、銀白、鉛白、チタン白等の白色系の色やアイボリー等の白色近似色と知覚し得る色の一部が含まれる。
【００２２】
前記色差ΔＥ＊ａｂ値は下記色差式［１］で表される。色差式［１］におけるａ＊は略赤方向、−ａ＊は略緑方向、ｂ＊は略黄色方向、−ｂ＊は略青方向を示している。
【００２３】
【数１】
0006909363.tif 000002
【００２４】
変色性シートのＬ＊値、ａ＊値、及びｂ＊値は、以下の方法により測定される。
〔Ｌ＊値、ａ＊値、及びｂ＊値の測定方法〕
変色性シートのＬ＊値、ａ＊値、及びｂ＊値を、標準毛髪処理剤の含浸前及び含浸後それぞれにおいて行う。先ず、毛髪保持具における変色性シートから、５０ｍｍ四方の測定片を切り出し、該測定片を標準毛髪処理剤に５秒間浸漬させる。その後、２枚の紙（キムタオル、日本製紙クレシア株式会社製、製品番号６１０００）で測定片を挟み、その上から１ｋｇ重相当の荷重を１０秒間かける。この操作により得られた測定片のＬ＊値、ａ＊値、及びｂ＊値を、標準毛髪処理剤の「含浸後」の変色性シートのＬ＊２値、ａ＊２値、及びｂ＊２値とする。また、前記操作を行う前の測定片、即ち標準毛髪処理剤の「含浸前」の測定片のＬ＊値、ａ＊値、及びｂ＊値を、標準毛髪処理剤の「含浸前」の変色性シートのＬ＊１値、ａ＊１値、及びｂ＊１値とする。
Ｌ＊値、ａ＊値、及びｂ＊値の測定は、例えばコニカミノルタジャパン株式会社製の分光測色計ＣＭ−７００ｄ（商品名）等を用いることができる。上記分光測色計ＣＭ−７００ｄによる計測方法は、測定条件を光源Ｄ６５、視野角１０°とし、正反射光除去（ＳＣＥ）方式で計測する。測定は、付属の白色校正キャップを用いて白色校正を行なった後、前記測定片における、筒状体の外面となる面にターゲットマスク（Φ８ｍｍ）を接触させ、当該面とターゲットマスク（Φ８ｍｍ）との間に隙間が生じないように、分光測色計を押し当てながら測定片のＬ＊値、ａ＊値、ｂ＊値を計測する。この計測を、変色性シートの任意の１０箇所から切り出した測定片について、１枚の測定片につき５回行い、その平均値を測定値とする。
【００２５】
前記標準毛髪処理剤は、チオグリコール酸アンモニウムを６質量％、炭酸水素アンモニウムを２質量％、エデト酸二ナトリウムを０．５質量％、及び水を残部含有しており、且つ２８質量％アンモニア水溶液によって、２０℃におけるｐＨを８．４に調整したものである。標準毛髪処理剤は、例えば、１２ｇのチオグリコール酸アンモニウムと、４ｇの炭酸水素アンモニウムと、１ｇのエデト酸二ナトリウムとを、純水１００ｍｌに溶解し、これに２８質量％アンモニア水溶液を混合して、２０℃におけるｐＨを８．４に調整した後、純水で２００ｍＬにメスアップすることによって得られる。
【００２６】
筒状体２を形成する２枚のシート、即ち一面シート２３Ａ及び他面シート２３Ｂのうちの少なくとも一方が、前述の変色性シートであると、ロール状の毛髪束保持体３にパーマネントウェーブ剤等の毛髪処理剤を供給したときに、変色性シートに該毛髪処理剤が吸収されて変色性シートが変色する。即ち、変色性シートにおける毛髪処理剤が浸透した部分が変色するため、毛髪保持具の使用者は、筒状体２内に保持された毛髪束に毛髪処理剤が付与されたことを容易に確認できる。そして、前記使用者は、前記変色した部分の位置や範囲により、筒状体２内に保持された毛髪束の全体に毛髪処理剤が付与されたか否か、即ち、筒状体２内に保持された毛髪束に毛髪処理剤が付与されていない部分があるか否かを容易に確認することができ、癖付け処理を良好に行うことができる。
また、筒状体２を形成する２枚のシートが変色性シートである場合、毛髪保持具全体が変色したとしても、変色性シートは、前記色差ΔＥ＊ａｂが１．０以上であるので、前記使用者は、変色前後の視覚的変化を容易に知覚することができ、毛髪処理剤が浸透したか否かを容易に確認することができる。
なお、本発明の毛髪保持具を用いた毛髪処理方法で使用される毛髪処理剤は、前記標準毛髪処理剤の組成と同一のものであってもよく、前記標準毛髪処理剤の組成と異なるものであってもよい。
【００２７】
上記の効果をより確実に奏させる観点から、変色性シートは、標準毛髪処理剤の含浸前後におけるＬ＊ａ＊ｂ＊色座標空間での前記色差ΔＥ＊ａｂ値が、好ましくは１．０以上、より好ましくは１．３以上、さらに好ましくは２．０以上であり、また好ましくは９０．０以下、より好ましくは１５．０以下、さらに好ましくは１０．０以下であり、また好ましくは１．０以上９０．０以下、より好ましくは１．３以上１５．０以下、さらに好ましくは２．０以上１０．０以下である。
【００２８】
照明環境による影響を受け難くして、前記使用者に変色性シートの視覚的変化をより容易に知覚させる観点から、変色性シートは、標準毛髪処理剤の含浸後のＬ＊ａ＊ｂ＊色座標空間でのＬ＊２値から、該標準毛髪処理剤の含浸前のＬ＊ａ＊ｂ＊色座標空間でのＬ＊１値を減算した明度差ΔＬ＊値の絶対値が、好ましくは１．０以上、より好ましくは２．０以上であり、また好ましくは９０．０以下、より好ましくは１０．０以下、さらに好ましくは５．０以下であり、また好ましくは１．０以上９０．０以下、より好ましくは２．０以上１０．０以下、さらに好ましくは２．０以上５．０以下である。前記明度差ΔＬ＊値は下記式［２］で表される。下記式［２］におけるＬ＊１値は、変色性シートの標準毛髪処理剤の含浸前のＬ＊値であり、Ｌ＊２値は、変色性シートの標準毛髪処理剤の含浸前のＬ＊値である。
ΔＬ＊＝Ｌ＊２−Ｌ＊１  ・・・［２］
【００２９】
金髪等の比較的淡い色の毛髪に施術する場合、毛髪処理剤の含浸後の変色性シートの色を、例えば該毛髪よりも暗い色にすることにより、該毛髪の色との対比で変色性シートの変色前後の視覚的変化をより顕著にする効果が得られる。前記効果を得るため、施術対象の毛髪の色と、毛髪処理剤の含浸後の変色性シートの色との差異を大きくする観点から、変色性シートは、前記明度差ΔＬ＊値が、好ましくは−１０．０以上、より好ましくは−５．０以上であり、また好ましくは−１．０以下、より好ましくは−２．０以下であり、また好ましくは−１０．０以上−１．０以下、より好ましくは−５．０以上−２．０以下である。前記の「比較的淡い色の毛髪」としては、例えば、白髪、コーカソイド又はオーストラロイド等に多く見られる金髪、栗毛、赤毛等の毛髪、あるいは染毛又は脱色された毛髪等が挙げられる。
【００３０】
金髪等の比較的淡い色の毛髪に施術する場合、毛髪処理剤の含浸後の変色性シートの色を例えば青みを帯びた色にすることによっても、前記効果が得られる。上記と同様の観点から、変色性シートは、前記色差Δｂ＊値が、好ましくは−５０以上、より好ましくは−１０以上であり、また好ましくは０未満、より好ましくは−０．５以下であり、また好ましくは−５０以上０未満、より好ましくは−１０以上−０．５以下である。
【００３１】
黒髪等の比較的濃い色の毛髪に施術する場合、毛髪処理剤の含浸後の変色性シートの色を、例えば黄色味を帯びた色とすることにより、該毛髪の色との対比で変色性シートの変色前後の視覚的変化をより顕著にする効果が得られる。前記効果を得るため、施術対象の毛髪の色と、毛髪処理剤の含浸後の変色性シートの色との差異を大きくする観点から、変色性シートは、標準毛髪処理剤の含浸後のＬ＊ａ＊ｂ＊色座標空間でのｂ＊２値から、該標準毛髪処理剤の含浸前のＬ＊ａ＊ｂ＊色座標空間でのｂ＊１値を減算した色差Δｂ＊値が、好ましくは１．０以上、より好ましくは１．５以上であり、また好ましくは５０．０以下、より好ましくは１０．０以下であり、また好ましくは１．０以上５０．０以下、より好ましくは１．５以上１０．０以下である。前記色差Δｂ＊値は、下記式［３］で表される。下記式［３］におけるｂ＊１値は、変色性シートの標準毛髪処理剤の含浸前のｂ＊値であり、ｂ＊２値は、標準毛髪処理剤の含浸前のｂ＊値である。
Δｂ＊＝ｂ＊２−ｂ＊１  ・・・［３］
前記「比較的濃い色の毛髪」は、黒色を呈する毛髪であり、そのような毛髪としては、モンゴロイド又はネグロイド等に多く見られる黒髪、あるいは染毛された毛髪等が挙げられる。
【００３２】
癖付け処理を行う前に、予め洗髪等を行うことがある。このように、毛髪処理剤を付与する前に、毛髪の表面が水に濡れた状態となると、当該毛髪との接触によって、変色性シートが水に濡れることがある。濡れた状態の毛髪束を筒状体に挿入した場合、変色性シートの視覚的変化をより顕著にする観点から、変色性シートは、水の含浸前後におけるＬ＊ａ＊ｂ＊色座標空間での色差ΔＥ＊ａｂ値が、１．０未満であることが好ましく、０．９以下であることがより好ましく、０．５以下であることがさらに好ましい。「水の含浸前後におけるＬ＊ａ＊ｂ＊色座標空間での色差ΔＥ＊ａｂ値」は、前記標準毛髪処理剤に代えて、水を含浸させる以外は、前述した〔Ｌ＊値、ａ＊値、及びｂ＊値の測定方法〕と同様の方法により測定される。
【００３３】
変色性シートの色は、白色以外の色であることが好ましい。「白色」とは、マイクロスコープ（キーエンス社製の品番「ＶＨＸ−５０００」）を用いて観察される変色性シートのデジタル画像を、画像解析ソフト（米国ＮＩＨ（Ｎａｔｉｏｎａｌ  Ｉｎｓｔｉｔｕｔｅ  ｏｆ  Ｈｅａｌｔｈ）が開発の「Ｉｍａｇｅ  Ｊ」）を用いて、８ビットグレイスケールに変換し、各画素の濃度を８ビットの信号により０〜２５５の２５６段階で表わした際に、段階２４０〜段階２５５の範囲内であることを意味する。即ち、「白色以外の色」は、前記の段階２４０〜段階２５５の範囲外の色である。変色性シートの色としては、例えば、黒色や、金色、黄色、茶色、銀色、灰色、薄紅色、紅色、黄緑色、紺色、濃灰色等の有彩色が挙げられる。水の含浸による視覚的変化が生じにくく、毛髪処理剤の含浸による視覚的変化をより顕著にする観点から、変色性シートの色は、黒色、金色、黄色、茶色、銀色、灰色、薄紅色、紅色、黄緑色、紺色、又は濃灰色であることが好ましく、黒色、金色、黄色、銀色、灰色、薄紅色、紅色、黄緑色、紺色、又は濃灰色であることがより好ましく、黒色、金色、黄色、銀色、紺色又は濃灰色であることがさらに好ましい。この変色性シートの色は、前記標準毛髪処理剤の「含浸前」の色であり、目視によって前記の色に見える範囲の色である。例えば、黒色は、視覚的に黒色と知覚し得る範囲の色であり、黒色系の色や灰褐色、黒緑色等の黒色近似色が含まれる。また、前記の金色や銀色は、金属光沢を有する色であり、これに起因して前記の黄色や灰色と区別される。
【００３４】
毛髪処理剤の供給による変色性シートの変色の要因は幾つか考えられる。前記要因の一つとして、シート中の空隙が毛髪処理剤で埋められて、変色性シートの光の屈折率が変化することが考えられる。「シート中の空隙」とは、シートの素材どうし間の微細な空隙である。例えば、シートが不織布等の繊維材料から構成される場合は、繊維間の空隙が「シート中の空隙」である。シート中の空隙が毛髪処理剤で十分に埋められた状態、即ち、変色性シートが吸液し得る液量が飽和量に達した状態において、変色性シートの色の変化量が最大となると考えられる。前記「シート中の空隙」には、後述するスリットが除かれるが、本発明の毛髪保持具からスリットを有する形態を排除する意味ではない。
シート中の空隙を毛髪処理剤で埋めて、変色性シートの視覚的変化をより顕著にする観点から、変色性シートは、シート中の空隙率が所定以上であることが好ましい。また、毛髪束保持体３において、毛髪処理剤の供給による視覚的変化をより顕著にする観点から、他面シート２３Ｂは、一面シート２３Ａに比して単位面積当たりのシート中の空隙率が高いことが好ましい。シート中の空隙率は、以下の方法により測定される。
【００３５】
＜シート中の空隙率の測定方法＞
筒状体を構成するシートを、筒状体の長手方向に沿う方向と平行な直線に沿って、筒状体の幅方向に沿う方向の長さが０．５〜１．０ｍｍとなるように切り出し、これを測定サンプルとする。次いで、測定サンプルの断面の厚さ方向を、鉛直方向に一致させて、水平に配置した黒色の台紙に載せる。次いで、測定サンプルについて、筒状体の長手方向に沿う断面の拡大写真をマイクロスコープ（株式会社キーエンス製、ＶＨＸ−５０００）を用いて観察する。この観察野の画像データ（ｊｐｅｇ）を、画像解析ソフト（ＮｅｘｕｓＮｅｗＱｕｂｅ）を用いて画像解析する。具体的には、測定サンプルの厚さ方向を０．２ｍｍ、筒状体の長手方向に沿う方向を１ｍｍとした範囲を設定し、当該範囲を二値化処理する。シートの素材が繊維材料であり、且つ前記の画像を白色と黒色とで二値化した場合、通常、繊維は白色となり、繊維が存在しない部分は黒色となる。次いで、前記範囲におけるシートの素材が占める面積率を求め、この値を１００％から減算した値を特定範囲当りのシート中の空隙率（％）とする。特定範囲当りのシート中の空隙率（％）は、測定サンプルの断面の任意の３箇所で行い、これら３箇所における測定値の平均を、シート中の空隙率（％）とする。
【００３６】
毛髪処理剤が筒状体へ浸透したか否かの確認をより容易にする観点から、本実施形態の毛髪処理具のように、筒状体２を構成する２枚のシートとして、巻き上げ時に内側に位置する一面シート２３Ａ及び巻き上げ時に外側に位置する他面シート２３Ｂとを有する場合、少なくとも巻き上げ時に外側に位置する他面シート２３Ｂが、前記の変色性シートであることが好ましく、一面及び他面シート２３Ａ，２３Ｂの双方が変色性シートであることも好ましい。一面及び他面シート２３Ａ，２３Ｂそれぞれは、その一部又は全域が変色性シートで構成されていてもよいが、全域が変色性シートであることが好ましい。
本実施形態の毛髪保持具１は、一端の開口部２１から長手方向Ｘの外方に延出した延設部４を有しているが、一面及び他面シート２３Ａ，２３Ｂに加えて、延設部４が変色性シートにより形成されてもよい。
【００３７】
本実施形態の毛髪保持具１は、筒状体を巻き上げた状態を保持する固定部材５を有している。固定部材５は、筒状体をロール状に保持し得る。本実施形態において固定部材５は、他面シート２３Ｂの外面に脱着自在に係合可能である。固定部材５は、一面シート２３Ａから長手方向Ｘの外方に延出した延設部４の外面に設けられている。本実施形態の固定部材５は、ロール状の毛髪束保持体３において、他面シート２３Ｂの外面の一部と対向するように配されて、該外面の一部に結合する。これにより、毛髪保持具１を毛髪束保持体３の形態に維持し得る。固定部材としては、筒状体２を構成する２枚のシートと部分的に係合可能なシート係合部材や、互いに脱着自在に結合可能な複数の部材からなる結合部材又は雌雄部材であってもよい。このような固定部材は、筒状体を毛髪束保持体３に維持し得る位置に設けられる。例えば、固定部材が前記雌雄部材である場合、雌雄部材の一方の部材は、一面シート２３Ａ又は延設部４の外面に設けられ、雌雄部材の他方の部材は、他面シート２３Ｂの外面又は他面シート２３Ｂの外面に設けられ、これら雌雄部材が互いに結合することで筒状体２を毛髪束保持体３に維持し得る。固定部材に用いられる前記シート係合部材としては、メカニカルファスナーの雄部材等が挙げられる。前記結合部材としては、被着体選択性粘着テープ、磁石等が挙げられ、前記雌雄部材としては、ホック、機械的面ファスナー等が挙げられる。
【００３８】
前記被着体選択性粘着テープは、特定の物質とのみ接合し、それ以外の物質に対しては実質的に接合しない性質を有する粘着テープである。この「実質的に接着しない」とは、被着体選択性粘着テープが前記特定の物質以外の物質と全く接着状態を形成しない場合の他に、被着体選択性粘着テープが、前記特定の物質以外の物質と接着状態を形成しても、該物質と被着体選択性粘着テープとの間に、僅かでも相対的な運動が生じた場合には、速やかにその接着状態が消失する場合も含まれる。このような被着体選択性粘着テープは、テープ基材と該テープ基材に塗布された自着剤とを備えており、該自着剤が、同種の物質にのみ接着し、他の物質に対しては実質的に接着しない性質を有している。即ち、自着剤は、自着剤同士でのみ接着性を有する。
上記の構成を備える被着体選択性粘着テープとしては、例えば、特開２００７−１６７１９２号公報に記載の自着剤とテープ基材とを備えた粘着テープ等を用いることができる。
【００３９】
他面シートは、幅方向Ｙに延び且つ長手方向Ｘに沿って間欠的に並んだ複数のスリットを有している。斯かる構成により、筒状体２をスムーズに巻き上げることができる。本実施形態においてスリットは、他面シートをその厚み方向に貫通した切れ込みである。
本実施形態における毛髪保持具１は、他面シート２３Ｂに、前記複数のスリット２５を有し、該複数のスリットは直列に並んでいる。本実施形態において複数のスリット２５は何れも幅方向Ｙの長さが同じであるが、各スリットの幅方向Ｙの長さが異なっていてもよい。また、スリットは、図３に示すように、その両端部に円形の部分を有していてもよい。図３に示すスリットは、幅方向Ｙ中央の直線部分に比して、両端部の長手方向Ｘの長さが長い。このようなスリットは、例えば、その両端部が打ち抜き加工により円形に形成されたものであってもよい。
【００４０】
毛髪保持具の巻き上げ力を向上させる観点から、毛髪保持具は一対の側部結合部２４，２４と重なる位置に補強材を有していることが好ましい。補強材７は、筒状体２の巻き上げ力を向上させる目的で配されるシートである。補強材７の幅方向Ｙの長さは、一対の側部結合部２４，２４間に亘らない長さであっても良い。補強材７は、筒状体２の両側部結合部２４，２４に長手方向Ｘに沿って配されていることが好ましい。
【００４１】
前記補強材を有する毛髪保持具を、図４（ａ）及び（ｂ）に示す。図４（ａ）に示す毛髪保持具１Ａは、筒状部２６を構成する２枚のシート２３Ａ，２３Ｂの何れか一方の外面に配された補強材７を有している。巻き上げ力をより向上させる観点から、補強材７は、他面シート２３Ｂの外面に配されていることが好ましい。図４（ｂ）に示す毛髪保持具１Ｂは、筒状部２６を構成する２枚のシート２３Ａ，２３Ｂ間に配された補強材７を有している。尚、筒状体２を構成するシートどうしは側部結合部２４にて接合されているが、説明の便宜上、図４（ａ）及び（ｂ）において、筒状体２を構成するシートどうしの間には隙間があるように描かれている。
【００４２】
本実施形態の毛髪保持具１は、図１（ａ）及び（ｂ）に示すように、筒状体２の長手方向Ｘに沿う両側縁部それぞれの他端の開口部２２側の近傍に巻き締め片８を有している。巻き締め片８は、図１（ｂ）に示すように、筒状体２から幅方向Ｙの外方側に延出して一面シート２３Ａと一体的に形成されており、平面視形状が半円状である。毛髪保持具は巻き締め片を有することにより、該巻き締め片を手で把持して筒状体を巻き上げることで、該筒状体を容易に且つ必要に応じてきつく巻き上げることができる。巻き締め片８は、筒状体２を構成する２枚のシート２３Ａ，２３Ｂの何れか一方又は双方から、幅方向Ｙの外方に延出した部分として設けられていてもよい。また、巻き締め片８は、前記２枚のシート２３Ａ，２３Ｂとは別体の部材を、該２枚のシート２３Ａ，２３Ｂの両側縁部それぞれに連結させて設けられていてもよい。巻き締め片８の形成方法、形状、大きさ、厚さ、配置等は適宜設定できる。
【００４３】
毛髪保持具１を繰り返し使用する観点から、変色性シートの変色は可逆的であることが好ましい。例えば毛髪処理剤の吸収により変色した変色性シートは、水等の洗浄液を用いて洗浄し、乾燥させることによって、変色する前の色に戻ることが好ましい。
【００４４】
筒状体２の寸法等は、毛髪の長さや癖付けしたい場所、挿入する毛髪束の量に応じて適宜に決定することができるが、下記の範囲であることが好ましい。
幅方向Ｙにおける筒状体２の長さＷ２〔図１（ｂ）参照〕は、好ましくは２５ｍｍ以上、より好ましくは３０ｍｍ以上であり、また好ましくは２００ｍｍ以下、より好ましくは１５０ｍｍ以下であり、また好ましくは２５ｍｍ以上２００ｍｍ以下、より好ましくは３０ｍｍ以上１５０ｍｍ以下である。
【００４５】
長手方向Ｘにおける毛髪保持具１の長さＬ１〔図１（ｂ）参照〕は、好ましくは５０ｍｍ以上、より好ましくは１００ｍｍ以上であり、また好ましくは４００ｍｍ以下、より好ましくは３５０ｍｍ以下であり、また好ましくは５０ｍｍ以上４００ｍｍ以下、より好ましくは１００ｍｍ以上３５０ｍｍ以下である。長手方向Ｘにおける毛髪保持具１の長さＬ１は、長手方向Ｘにおける延設部４と、筒状体２との合計長さである。
長手方向Ｘにおける筒状体２の長さＬ２〔図１（ｂ）参照〕は、好ましくは４５ｍｍ以上、より好ましくは９０ｍｍ以上であり、また好ましくは３００ｍｍ以下、より好ましくは２７５ｍｍ以下であり、また好ましくは４５ｍｍ以上３００ｍｍ以下、より好ましくは９０ｍｍ以上２７５ｍｍ以下である。本実施形態の筒状体２は、一端の開口部２１側の端部が、長手方向Ｘの内側に向かって凹状に湾曲している。このように、長手方向Ｘにおける筒状体２の長さが、幅方向Ｙの位置により異なる場合、長手方向Ｘにおける筒状体２の最大長さが、前述の範囲内であることが好ましい。
【００４６】
幅方向Ｙにおける他端の開口部２２の長さＷ２２〔図１（ｂ）参照〕は、幅方向Ｙにおける筒状体２の長さＷ２〔図１（ｂ）参照〕に対して、好ましくは４０．０％以上、より好ましくは６６．７％以上であり、また好ましくは９７．５％以下、より好ましくは９６．７％以下であり、また好ましくは４０．０％以上９７．５％以下、より好ましくは６６．７％以上９６．７％以下である。
幅方向Ｙにおける他端の開口部２２の長さＷ２２〔図１（ｂ）参照〕は、好ましくは１０ｍｍ以上、より好ましくは２０ｍｍ以上であり、また好ましくは１９５ｍｍ以下、より好ましくは１４５ｍｍ以下であり、また好ましくは１０ｍｍ以上１９５ｍｍ以下、より好ましくは２０ｍｍ以上１４５ｍｍ以下である。
本実施形態において、幅方向Ｙにおける他端の開口部２２の長さＷ２２は、幅方向Ｙにおける一端の開口部２１の長さと同じである。幅方向Ｙにおける、他端の開口部２２の長さと、一端の開口部２１の長さとは同じであっても良いし、それぞれ異なっていても良い。
【００４７】
ここで、他面シート２３Ｂの幅方向に延びるスリット２５は、切れ込みの細幅が３ｍｍ未満のものを意味する。また、幅方向Ｙにおけるスリット２５の長さＷ６〔図１（ａ）参照〕は、幅方向Ｙにおける筒状体２の長さＷ２に対して、好ましくは４０．０％以上、より好ましくは５０．０％以上であり、また好ましくは９０．０％以下、より好ましくは８０．０％以下であり、また好ましくは４０．０％以上９０．０％以下、より好ましくは５０．０％以上８０．０％以下である。
また、幅方向Ｙにおけるスリット２５の長さＷ６〔図１（ａ）参照〕は、好ましくは１０ｍｍ以上、より好ましくは１５ｍｍ以上であり、また好ましくは１８０ｍｍ以下、より好ましくは１２０ｍｍ以下であり、また好ましくは１０ｍｍ以上１８０ｍｍ以下、より好ましくは１５ｍｍ以上１２０ｍｍ以下である。
【００４８】
本実施形態の毛髪保持具を用いて癖付け処理を行う方法を説明する。前記癖付け処理を行う方法を以下、本実施形態の毛髪処理方法ともいう。
本実施形態の毛髪処理方法は、図５（ａ）〜（ｃ）に示すように、毛髪束Ｈを筒状体２に挿入する工程と、筒状体２を、該筒状体２に挿入した毛髪束Ｈとともに巻き上げ、毛髪束Ｈが変形状態に保持された癖付け用の毛髪束保持体３を形成する工程と、毛髪束保持体３に毛髪処理剤を供給して、毛髪束Ｈに癖付け処理を行う工程とを具備する。
以下、毛髪束Ｈを筒状体２に挿入する工程を挿入工程、毛髪束保持体３を形成する工程を巻き上げ工程、及び毛髪束Ｈに癖付け処理を行う工程を癖付け処理工程ともいう。
【００４９】
前記挿入工程では、図５（ａ）に示すように、毛髪束Ｈを筒状体２の一端の開口部２１から他端の開口部２２に向けて、筒状体２を構成する２枚のシート２３Ａ，２３Ｂ間に挿入する。これにより、筒状体２において毛髪束Ｈは、根元側が一端の開口部２１側に、毛先側が他端の開口部２２側に位置する。挿入工程における毛髪束Ｈの挿入作業は、作業者の手で行ってもよく、筒状体２に毛髪束Ｈを挿入する長尺状の毛髪挿入具を用いて行ってもよい。毛髪挿入具としては、例えば毛髪束Ｈを係止し得る係止部と、所定の長さを有する長尺状の挿入具本体とを有するものが挙げられる。より具体的には、毛髪挿入具は、挿入具本体が、細長板状に形成され、その端部は先細形状であり、筒状体２の一端の開口部に挿入し易くなっている。挿入具本体は、硬質の合成樹脂シート等から形成されることが好ましい。係止部は、挿入具本体の一端に設けられ、縦長の輪状に形成されており、この輪の中に毛髪束を挿通することで該毛髪束が係止される。
本工程では、毛髪束を筒状体に挿入できればよく、毛髪束を筒状部２６に貫通させる必要はない。換言すれば、毛髪束の先端を筒状体の他端の開口部からはみ出させる必要はない。
【００５０】
前記巻き上げ工程においては、筒状体２を、該筒状体に挿入した前記毛髪束とともに巻き上げ、前記毛髪束保持体を形成する。この巻き上げ工程では、図５（ｂ）に示すように、筒状体２を他端の開口部２２から一端の開口部２１に向けて、長手方向Ｘに沿って巻き上げる。即ち、他端の開口部２２がロール状の毛髪束保持体３の中心側に位置するように、筒状体２を巻き上げる。これにより、毛髪束Ｈは、毛先側が毛髪束保持体の中心側に、根元側が毛髪束保持体の外周部側に位置する。本工程において、毛髪束保持体は、前記の自動的に巻き上がる構成によって形成されてもよく、前記の手動で巻き上げる構成によって形成されてもよい。また、自動的に巻き上がる構成によって筒状体２を巻き上げた後、さらに手動で巻き締め又は巻き戻し操作を行うことにより、毛髪束保持体の巻き径を調整してもよい。これにより、筒状体２内に保持された毛髪束Ｈの巻き径を調整することができる。本実施形態の毛髪保持具１は、長手方向Ｘの他端の開口部２２側に、巻き締め片８を有しているところ、該巻き締め片８を把持して、筒状体２の巻き締め又は巻き戻し操作を行うことができる。
【００５１】
前記癖付け処理工程においては、筒状体２を毛髪束保持体３の形態に維持しながら、毛髪束保持体３、より具体的には毛髪束保持体３の筒状体中の毛髪束Ｈに、毛髪処理剤を供給して毛髪束Ｈに癖付け処理を行う。筒状体２は、前述した固定部材５によって、ロール状の毛髪束保持体３の形態に維持される。癖付け処理は、毛髪束に特定の形状を付与する処理であり、該癖付け処理として、毛髪処理剤を供給した後、毛髪保持具を所定時間放置する処理や筒状体を加熱する処理等が行われる。
【００５２】
前記癖付け処理工程において毛髪処理剤を、毛髪束保持体３、より具体的には毛髪束保持体３の筒状体中の毛髪束Ｈに付与する場合、毛髪処理剤は、スリット２５から筒状体２内に注入されてもよく、筒状体２を構成する２枚のシート２３Ａ，２３Ｂの何れか一方のシートの外面に注入され、該一方のシートに浸透されてもよい。これにより、筒状体２内に保持された毛髪束Ｈに毛髪処理剤が供給される。
癖付け処理工程では、毛髪束保持体３に対する毛髪処理剤の供給を、筒状体２の一方又は両方の外面を形成する変色性シートに生じる色の変化を視覚的に確認しながら行うことが好ましい。変色性シートに生じる視覚的変化を確認しながら毛髪処理剤を供給することで、適切な量を適切な範囲に供給することが容易となる。例えば、毛髪処理剤が癖付けしたい範囲に十分に拡がったことを確認したり、過剰量の毛髪処理剤の供給による液だれを防止したりすることができる。
毛髪処理剤の供給は、例えば、図５（ｃ）に示すように、変色性シートに視覚的変化が生じるまで毛髪処理剤を供給することが好ましい。毛髪処理方法を行う操作者は、変色性シートの視覚的変化を知覚することで、筒状体２内に保持された毛髪束に毛髪処理剤が付与されたことや、該毛髪束全体に毛髪処理剤が行き渡ったか否かを容易に確認することができる。
【００５３】
本実施形態の毛髪保持具１では、筒状体２を構成する２枚のシート２３Ａ，２３Ｂが変色性シートであるところ、これら２枚のシート２３Ａ，２３Ｂの何れか一方又は双方に視覚的変化が生じるまで毛髪処理剤を供給することが好ましい。この場合、例えば、毛髪束保持体３の外周部分３１の表面を形成する他面シート２３Ｂの外面や、毛髪束保持体３の中心軸側の空間を形成する一面シート２３Ａの外面等において、視覚的変化が生じるまで毛髪処理剤を供給する。この場合、筒状体２を構成する２枚のシート２３Ａ，２３Ｂの一部又は全体に視覚的変化が生じるまで毛髪処理剤を供給すればよく、前記視覚的変化が生じた領域の面積は特に制限されない。毛髪処理剤を毛髪束により確実に供給する観点から、前記２枚のシート２３Ａ，２３Ｂにおける筒状部２６の一部又は全体に視覚的変化が生じるまで毛髪処理剤を供給することが好ましい。
【００５４】
前記視覚的変化には、変色性シートの毛髪処理剤の吸収による、ある色から他の色へ変化する色変化や、該色変化により特定の図形、文字、記号、模様又はこれらの組み合わせ等が浮き立つ図形等変化等が含まれる。色変化以外の視覚的変化は、後述するエンボス加工等を変色性シートに施すことによって生じ得る。
【００５５】
毛髪処理剤は、特に制限されず、市販のパーマネントウェーブ剤等、任意のものを使用することができる。パーマネントウェーブ剤は、一般的にチオグリコール酸塩、システイン等の還元性物質を含有する第１剤と、臭素酸塩、過酸化水素等の酸化性物質を含有する第２剤とからなる。
前記癖付け処理工程において用いられる毛髪処理剤は、前記標準毛髪処理剤の組成と同一のものであってもよく、前記標準毛髪処理剤の組成と異なるものであってもよい。
変色性シートの視覚的変化をより容易に知覚する観点から、毛髪処理剤は、以下の成分を含有することが好ましい。
【００５６】
変色性シートの視覚的変化を容易に知覚させる観点から、毛髪処理剤は、視覚的に無色透明、有色透明な液であることが好ましい。前記有色には、白色も含まれる。
【００５７】
毛髪処理剤は、還元剤を含有していることが好ましい。還元剤としては、チオグリコール酸、チオグリコール酸誘導体及びこれらの塩、チオ乳酸、チオ乳酸誘導体及びこれらの塩、システイン、システイン誘導体及びこれらの塩、並びにチオグリセリルアルキルエーテル類、メルカプトアルキルアミド類、亜硫酸塩、亜硫酸水素塩等が挙げられる。これらは一種又は二種以上を組み合わせて用いることができる。特にチオグリコール酸、チオグリコール酸誘導体及びこれらの塩、チオ乳酸、チオ乳酸誘導体及びこれらの塩、システイン、並びにシステイン誘導体及びこれらの塩からなる群から選ばれる少なくとも１種以上であることが好ましい。
毛髪処理剤における前記還元剤の含有量は、好ましくは１質量％以上、より好ましくは２質量％以上であり、また好ましくは２０質量％以下、より好ましくは１０質量％以下であり、また好ましくは１質量％以上２０質量％以下、より好ましくは２質量％以上１０質量％以下である。
【００５８】
毛髪処理剤は、アルカリ剤を含有していることが好ましい。アルカリ剤としては、アンモニア及びその塩；モノエタノールアミン、イソプロパノールアミン、２−アミノ−２−メチルプロパノール、２−アミノブタノール等のアルカノールアミン及びその塩；１，３−プロパンジアミン等のアルカンジアミン及びその塩；炭酸グアニジン、炭酸ナトリウム、炭酸カリウム、炭酸水素ナトリウム、炭酸水素カリウム等の炭酸塩等が挙げられ、特にアンモニア及びその塩であることが好ましい。これらは一種又は二種以上を組み合わせて用いることができる。前記のアンモニア及びその塩としては、炭酸水素アンモニウム、塩化アンモニウム等が挙げられる。
毛髪処理剤における前記アルカリ剤の含有量は、好ましくは０．１質量％以上、より好ましくは１質量％以上であり、また好ましくは１０質量％以下、より好ましくは５質量％以下であり、また好ましくは０．１質量％以上１０質量％以下、より好ましくは１質量％以上５質量％以下である。
【００５９】
前記癖付け処理工程は、筒状体２から毛髪束Ｈを抜き取って完了する。筒状体から抜き取った毛髪束には、例えばカール形状が付与される。癖付け処理工程後、必要に応じて、癖付け処理をした毛髪束に後処理を行ってもよい。後処理としては、洗髪、ドライヤー等の乾燥手段による乾燥、毛髪処理剤の付与等の処理を単独又は２種以上を組み合わせて行うことができる。後処理における毛髪処理剤として、例えばヘアトリートメント剤、プレヘアトリートメント剤、スタイリング剤、ヘアトニック剤、育毛・養毛剤等が挙げられる。
【００６０】
本実施形態における毛髪処理方法は、毛髪束に部分的に癖付けを行ってもよく、毛髪束の全体に癖付けを行ってもよい。毛髪束に部分的に癖付けを行う場合、毛髪束の根元と毛先との間の一部、例えば根元側部分、毛先を含む毛先側部分、又は根元側部分と毛先側部分との間の中間部分に対し癖付けを行ってもよい。
【００６１】
毛髪保持具の各部の形成材料について説明する。
筒状体を構成する一面及び他面シートの少なくとも一方は変色性シートである。変色性シートは、色材をシート材に付与することで製造することができる。色材をシート材に付与する方法としては、色材を含む溶液にシート材を含浸させる方法や、シート材を構成する樹脂に色材を練り込ませる方法、シート材の一方の面に色材を施す方法等が挙げられる。シート材の一方の面に色材を施す方法には、公知の塗工装置や印刷装置を用いることができる。シート材としては、不織布（ポリエチレン不織布、ポリエチレンテレフタレート不織布等）、織布、網状シート、多孔性又は非多孔性の樹脂フィルム（ポリエチレンフィルム、ポリエチレンテレフタレートフィルム等）、紙、高分子材料シート、ゴムシート、又はこれら２種以上の複合体等が挙げられる。色材としては、リトマス、ブロモチモールブルーなどの酸塩基指示薬、染料、顔料等が挙げられる。毛髪処理剤の供給によって生じ得る視覚的変化の有無の判別を容易にする観点および繰り返し使用する観点から、前記色材として、染料及び顔料の何れか一方又は双方を用いることが好ましい。毛髪保持具に用いられるシート材として、変色性シート以外のシート材を用いる場合、該シート材としては、不織布（ポリエチレン不織布、ポリエチレンテレフタレート不織布等）、織布、網状シート、多孔性又は非多孔性の樹脂フィルム（ポリエチレンフィルム、ポリエチレンテレフタレートフィルム等）、紙、高分子材料シート、ゴムシート、又はこれら２種以上の複合体等が挙げられる。
【００６２】
一面シート及び他面シートの厚みは、好ましくは５μｍ以上、より好ましくは１０μｍ以上であり、また好ましくは２０００μｍ以下、より好ましくは１５００μｍ以下であり、好ましくは５μｍ以上２０００μｍ以下、より好ましくは１０μｍ以上１５００μｍ以下である。
【００６３】
変色性シートを含む筒状体を構成するシートは、パーマネントウェーブ剤等の毛髪処理剤の拡散性を向上させる加工が施されていることが好ましい。このような加工は、特に制限されないが、例えば、特開２００７−１３０１９９号公報に記載の方法が挙げられる。具体的には、エンボス加工、カレンダー加工、樹脂膜形成加工等が挙げられる。例えばエンボス加工は、シートの長手方向に連なる凸部を形成することにより、毛髪処理剤が該凸部を伝うことで拡散性を向上させることができる。カレンダー加工は、筒状体を構成するシートの密度を調整することにより、毛髪処理剤の拡散性を向上させることができる。樹脂膜形成加工は、筒状体を構成するシートの一部あるいは全部に吸液性の低い樹脂膜を形成し該シート全体の吸液量を低減させることにより、毛髪処理剤の拡散性を向上させることができる。以下、毛髪処理剤の拡散性を向上させる加工を、「液拡散性付与加工」ともいう。
【００６４】
前述したように、毛髪処理剤は、毛髪束保持体３の外周部分３１の表面から供給される。筒状体内に保持した毛髪束全体に、毛髪処理剤を容易に行き渡らせる観点から、他面シート２３Ｂは、一面シート２３Ａに比して液拡散性が高いことが好ましい。液拡散性を有するシートは、例えば、前述の液拡散性付与加工をシートに施すことにより得られる。一面シート２３Ａは、液拡散性を有さなくてもよいが、他面シート２３Ｂよりも液拡散性が低いことを条件に、液拡散性を有していてもよい。一面シート２３Ａよりも液拡散性の高い他面シート２３Ｂは、例えば、液拡散性付与加工を他面シート２３Ｂに施し、一面シート２３Ａには施さないことにより得られる。あるいは、他面シート２３Ｂにおける液拡散性付与加工を施す面積を、一面シート２３Ａにおける液拡散性付与加工を施す面積よりも大きくすることにより得られる。その他、エンボス加工又はカレンダー加工においてシートの押圧力を異ならせたり、樹脂膜形成加工において吸液性の異なる樹脂を用いることにより得られる。
【００６５】
筒状体内に保持した毛髪束に、毛髪処理剤をより効率的に付与する観点から、他面シート２３Ｂは、一面シート２３Ａに比して液透過性が高いことが好ましい。換言すると、他面シート２３Ｂは、一面シート２３Ａに比して、シートの表面から裏面に向けて液をスムーズに浸透させることが好ましい。シートに液透過性を付与する方法は、例えば、特開２００５−３１９１５８号公報に記載のものが挙げられる。具体的には、疎水性材料からなるシートの表面を親水性を有する樹脂等により処理するか、疎水性材料からなる他面シートを水に難溶性の界面活性剤に含浸させるか、あるいは疎水性材料と親水性材料とを混合してシートを作製する方法である。一面シート２３Ａは、液透過性を有さなくてもよいが、他面シート２３Ｂよりも液透過性が低いことを条件に、液透過性を有していてもよい。一面シート２３Ａよりも液透過性の高い他面シート２３Ｂは、他面シート２３Ｂを液透過性を付与する方法を用いて製造し、一面シート２３Ａを液透過性を付与する方法を用いないで製造することにより得られる。あるいは、親水性を有する樹脂による表面処理を施す面積、親水性を有する樹脂又は水に難溶性の界面活性剤の種類、又は疎水性材料と親水性材料との混合比率を異ならせることにより得られる。
シートの液透過性は、シートの毛細管力を毛髪束の毛細管力よりも低く設定することによっても高められる。この場合、筒状体の外面に供給された毛髪処理剤は、毛髪束の毛管力により、筒状体内部に移行する。
【００６６】
変色性シートに前述した図形等変化を生じさせる観点から、変色性シートは、特定の図形、文字、記号、模様又はこれらの組み合わせ等が形成されるように、エンボス加工が施されていることが好ましい。この場合、変色性シートが用いられた一面シート２３Ａ又は他面シート２３Ｂの外面に、前記のエンボス加工を施す。エンボス加工により形成されたエンボス部では、毛髪処理剤の吸収性が、該エンボス部の周りの部分に比べて弱まるため、毛髪処理剤の吸収に伴うエンボス部と、該エンボス部の周りの部分とで、色変化の程度に差を生じさせる。これにより、エンボス部によって形成される特定の図形、文字、記号、模様又はこれらの組み合わせを浮き立たせることができる。
【００６７】
補強材には、毛髪保持具１の巻き上げ力を向上し得る素材を用いることができ、例えば、不織布（ポリエチレン不織布、ポリエチレンテレフタレート不織布等）、織布、網状シート、多孔性又は非多孔性の樹脂フィルム（ポリエチレンフィルム、ポリエチレンテレフタレートフィルム等）、紙、高分子材料シート、ゴムシート、又はこれら２種以上の複合体等のシート状の素材が挙げられる。
【００６８】
毛髪保持具の製造方法について説明する。毛髪保持具の筒状体は、２枚のシートを重ね合わせ、これら両シートの長手方向に沿う側部どうしを一体化することにより形成することができる。また、平面視形状が長方形状となるよう１枚のシートを折り畳み、該シートどうしが重なり合う部分であって、長手方向に沿う側部どうしを一体化することにより形成することができる。前記側部どうしを一体化する際、両シート間又は何れか一方のシートの外面に補強材を配置して、シートの側部どうしと補強材とを一体化してもよい。筒状体を形成するシートは、原反シートから所望の形状で型抜いて製造することができる。
筒状体を形成するシートどうしを一体化する方法、即ち一対の側部結合部２４，２４を形成する方法は、例えばヒートシールや超音波シール等の融着、接着剤等の接着又は縫合等が挙げられる。
【００６９】
本発明の毛髪保持具は、前記実施形態に制限されることなく、本発明の趣旨を逸脱しない限り、適宜変更が可能である。
例えば、「筒状体２」を構成するシートの表面は、エンボス加工等を施すによって凹凸を有していてもよく、平坦な面であってもよい。
【００７０】
本発明は更に以下の毛髪保持具及びそれを用いた毛髪処理方法を開示する。
＜１＞
一端の開口部から他端の開口部に向けて毛髪束を挿入可能に構成され、巻き上げ可能に構成されている筒状体を有し、該筒状体は、長手方向及び該長手方向に直交する幅方向を有する毛髪保持具であって、
前記筒状体は、外面を形成する２枚のシートを有しており、
前記２枚のシートのうちの少なくとも一方が、下記条件（１）及び（２）を満たす変色性シートである、毛髪保持具。
条件（１）Ｌ＊ａ＊ｂ＊色座標空間でのＬ＊値が９０以下である。
条件（２）標準毛髪処理剤の含浸前後における前記Ｌ＊ａ＊ｂ＊色座標空間での色差ΔＥ＊ａｂ値が１．０以上であり、前記標準毛髪処理剤は、チオグリコール酸アンモニウムを６質量％、炭酸水素アンモニウムを２質量％、エデト酸二ナトリウムを０．５質量％、及び水を残部含有し、且つ２８質量％アンモニア水溶液によって、２０℃におけるｐＨを８．４に調整したものである。
【００７１】
＜２＞
前記変色性シートは、標準毛髪処理剤の含浸前後におけるＬ＊ａ＊ｂ＊色座標空間での前記色差ΔＥ＊ａｂ値が、１．０以上、好ましくは１．３以上、より好ましくは２．０以上であり、また９０．０以下、好ましくは１５．０以下、より好ましくは１０．０以下であり、また１．０以上９０．０以下、好ましくは１．３以上１５．０以下、より好ましくは２．０以上１０．０以下である、前記＜１＞に記載の毛髪保持具。
＜３＞
前記変色性シートは、前記標準毛髪処理剤の含浸後の前記Ｌ＊ａ＊ｂ＊色座標空間でのＬ＊２値から、該標準毛髪処理剤の含浸前の前記Ｌ＊ａ＊ｂ＊色座標空間でのＬ＊１値を減算した明度差ΔＬ＊値の絶対値が１．０以上である、前記＜１＞又は＜２＞に記載の毛髪保持具。
＜４＞
変色性シートは、前記明度差ΔＬ＊値の絶対値が、１．０以上、好ましくは２．０以上であり、また９０．０以下、好ましくは１０．０以下、より好ましくは５．０以下であり、また１．０以上９０．０以下、好ましくは２．０以上１０．０以下、より好ましくは２．０以上５．０以下である、前記＜３＞に記載の毛髪保持具。
＜５＞
前記変色性シートは、前記明度差ΔＬ＊値が−１．０以下である、前記＜３＞又は＜４＞に記載の毛髪保持具。
＜６＞
前記変色性シートは、前記明度差ΔＬ＊値が、−１０．０以上、好ましくは−５．０以上であり、また−１．０以下、好ましくは−２．０以下であり、また−１０．０以上−１．０以下、好ましくは−５．０以上−２．０以下である、前記＜３＞〜＜５＞の何れか１に記載の毛髪保持具。
＜７＞
前記変色性シートは、前記標準毛髪処理剤の含浸後の前記Ｌ＊ａ＊ｂ＊色座標空間でのｂ＊２値から、該標準毛髪処理剤の含浸前の前記Ｌ＊ａ＊ｂ＊色座標空間でのｂ＊１値を減算した色差Δｂ＊値が１．０以上である、前記＜１＞〜＜６＞の何れか１に記載の毛髪保持具。
＜８＞
前記変色性シートは、前記色差Δｂ＊値が、１．０以上、好ましくは１．５以上であり、また５０．０以下、好ましくは１０．０以下であり、また１．０以上５０．０以下、好ましくは１．５以上１０．０以下である、前記＜７＞に記載の毛髪保持具。
＜９＞
前記変色性シートは、前記標準毛髪処理剤の含浸後の前記Ｌ＊ａ＊ｂ＊色座標空間でのｂ＊２値から、該標準毛髪処理剤の含浸前の前記Ｌ＊ａ＊ｂ＊色座標空間でのｂ＊１値を減算した色差Δｂ＊値が０未満である、前記＜１＞〜＜６＞の何れか１に記載の毛髪保持具。
＜１０＞
前記変色性シートは、前記色差Δｂ＊値が、−５０以上、好ましくは−１０以上であり、また０未満、好ましくは−０．５以下であり、また−５０以上０未満、好ましくは−１０以上−０．５以下である、前記＜９＞に記載の毛髪保持具。
【００７２】
＜１１＞
前記変色性シートは、水の含浸前後におけるＬ＊ａ＊ｂ＊色座標空間での色差ΔＥ＊ａｂ値が、１．０未満、好ましくは０．９以下、より好ましくは０．５以下である、前記＜１＞〜＜１０＞の何れか１に記載の毛髪保持具。
＜１２＞
前記変色性シートの色は、黒色、金色、黄色、茶色、銀色、灰色、薄紅色、紅色、黄緑色、紺色、又は濃灰色、好ましくは黒色、金色、黄色、銀色、灰色、薄紅色、紅色、黄緑色、紺色、又は濃灰色、より好ましくは黒色、金色、黄色、銀色、紺色又は濃灰色である、前記＜１＞〜＜１１＞の何れか１に記載の毛髪保持具。
＜１３＞
前記筒状体は、前記２枚のシートとして、巻き上げ時に内側に位置する一面シート及び巻き上げ時に外側に位置する他面シートを有しており、
少なくとも前記他面シートが、前記変色性シートである、前記＜１＞〜＜１２＞の何れか１に記載の毛髪保持具。
＜１４＞
前記一面シート及び前記他面シートの双方が前記変色性シートである、前記＜１３＞に記載の毛髪保持具。
＜１５＞
前記他面シートは、前記幅方向に延び且つ前記長手方向に沿って間欠的に並んだ複数のスリットを有している、前記＜１３＞又は＜１４＞に記載の毛髪保持具。
＜１６＞
前記スリットは、前記幅方向中央の直線部分に比して、両端部の前記長手方向の長さが長く、当該両端部に円形の部分を有している、前記＜１５＞に記載の毛髪保持具。
＜１７＞
前記筒状体は、前記２枚のシートを結合する一対の側部結合部、及び該一対の側部結合部間に位置する前記毛髪束が挿入される筒状部を有し、該側部結合部と重なる位置に補強材を有している、前記＜１＞〜＜１６＞の何れか１に記載の毛髪保持具。
＜１８＞
前記筒状体は、前記２枚のシートとして、巻き上げ時に内側に位置する一面シート及び巻き上げ時に外側に位置する他面シートを有しており、
前記補強材は、前記他面シートの外面に配されている、前記＜１７＞に記載の毛髪保持具。
＜１９＞
前記筒状体の前記長手方向に沿う両側縁部それぞれに巻き締め片を有している、前記＜１＞〜＜１８＞の何れか１に記載の毛髪保持具。
【００７３】
＜２０＞
前記２枚のシートの何れか一方又は双方が、前記毛髪保持具を巻き上げた状態を記憶させてある形状記憶シートからなる、前記＜１＞〜＜１９＞の何れか１に記載の毛髪保持具。
＜２１＞
前記毛髪保持具は、前記筒状体を巻き上げた状態を保持する固定部材と、前記２枚のシートとして巻き上げ時に内側に位置する一面シート及び巻き上げ時に外側に位置する他面シートと、該一面シートが前記筒状体から前記長手方向の外方に延出した延設部とを有しており、
前記固定部材が、前記延設部の外面に設けられている、前記＜１＞〜＜２０＞の何れか１に記載の毛髪保持具。
＜２２＞
前記延設部が前記変色性シートにより形成されている、前記＜２２＞に記載の毛髪保持具。
＜２３＞
前記筒状体は、前記２枚のシートとして、巻き上げ時に内側に位置する一面シート及び巻き上げ時に外側に位置する他面シートを有しており、
前記他面シートは、前記一面シートに比してシート中の空隙率が高い、前記＜１＞〜＜２２＞の何れか１に記載の毛髪保持具。
＜２４＞
前記筒状体は、前記２枚のシートとして、巻き上げ時に内側に位置する一面シート及び巻き上げ時に外側に位置する他面シートを有しており、
前記他面シートは、前記一面シートに比して液拡散性が高い、前記＜１＞〜＜２３＞の何れか１に記載の毛髪保持具。
＜２５＞
前記筒状体は、前記２枚のシートとして、巻き上げ時に内側に位置する一面シート及び巻き上げ時に外側に位置する他面シートを有しており、
前記他面シートは、前記一面シートに比して液透過性が高い、前記＜１＞〜＜２４＞の何れか１に記載の毛髪保持具。
＜２６＞
前記＜１＞〜＜２５＞何れか１に記載の毛髪保持具を用いた毛髪処理方法であって、
前記毛髪束を前記筒状体に挿入する挿入工程、該筒状体を、該筒状体に挿入した前記毛髪束とともに巻き上げ、該毛髪束が変形した状態に保持された毛髪束保持体を形成する巻き上げ工程、及び該毛髪束保持体に毛髪処理剤を供給して、該毛髪束に癖付け処理を行う癖付け処理工程を具備し、前記癖付け処理工程において、前記毛髪処理剤の供給を、前記変色性シートに生じる視覚的変化を確認しながら行う、毛髪処理方法。
【実施例】
【００７４】
以下、実施例により本発明を更に詳細に説明する。しかしながら本発明の範囲は、かかる実施例に制限されない。【００７５】
〔実施例１〜１１、及び比較例１〕
筒状体を構成するシートとして、スパンボンド法により得られた不織布を用意した。前記不織布は、ポリエチレンテレフタレートを原料繊維とする。実施例１〜１１、及び比較例１における各シートは、原料繊維を構成する樹脂に色材が練り込まれており、下記表１に示す色を呈するものであった。下記表１に示す色は、標準毛髪処理剤に含浸させる前の色であって、視覚的に知覚し得る色である。前記色材としては、日本化成社製の商品名「ネオマスター」を用いた。比較例１では、色材を用いずに筒状体を構成するシートを作製した。比較例１におけるシートは、白色であった。【００７６】
上記の方法で得られたシートについて、前述した〔Ｌ＊値、ａ＊値、及びｂ＊値の測定方法〕と同様の方法により、標準毛髪処理剤の含浸前及び含浸後それぞれにおけるＬ＊値、ａ＊値、及びｂ＊値の測定を行い、前述したＬ＊ａ＊ｂ＊色座標空間での色差ΔＥ＊ａｂ値、明度差ΔＬ＊値、及び色差Δｂ＊値をそれぞれ求めた。測定結果を下記表１に示す。【００７７】
〔シートの視覚的変化の視認性の評価〕
標準毛髪処理剤の含浸前後のシートの視覚的変化の視認性について、専門パネラー５名により評価した。具体的には、標準毛髪処理剤の含浸前後のシートの色の変化が、容易に視認される場合を３点、視認される場合を２点、視認し難い場合を１点として採点し、その平均値を基づき、以下の基準で評価した。下記表１に評価結果を示す。
Ａ：平均値が２．５以上３以下
Ｂ：平均値が２．０以上２．５未満
Ｃ：平均値が１．０以上２．０未満【００７８】
【表１】
0006909363.tif 000003
【００７９】
表１の結果によれば、実施例１〜実施例１１のシートは、比較例１のシートに比して、標準毛髪処理剤の含浸前後の色の変化を知覚し易くなっている。即ち、実施例１〜実施例１１のシートの変色の有無を、毛髪保持具における筒状体内に保持された毛髪束に毛髪処理剤が付与されたか否かの判断材料として利用することが期待できる。
【産業上の利用可能性】
【００８０】
本発明によれば、毛髪保持具の筒状体内に保持された毛髪束に、パーマネントウェーブ剤等の毛髪処理剤が付与されたことを容易に確認することができる。
【図１】
0006909363.tif 000004
【図２】
0006909363.tif 000005
【図３】
0006909363.tif 000006
【図４】
0006909363.tif 000007
【図５】
0006909363.tif 000008